(57)【要約】      （修正有）【課題】導電端子が絶縁性本体に長手方向及び横方向に沿って位置決めすることを容易に実現可能な電気コネクタを提供する。【解決手段】電気コネクタは、絶縁性本体と、絶縁性本体に固着される複数の導電端子３と、を備える。絶縁性本体は、内壁面と外壁面とを含む一対の側壁と、一対の端壁と、側壁と端壁によって形成される収納孔２０と、を有する。各導電端子は、部分的に絶縁性本体の側壁の内壁面に嵌合される主体部と、絶縁性本体から延出する半田接続部と、を有する。各導電端子の主体部は、収納孔に向かって配置される接触面３１１と、一対の側辺３１２と、を有する。側壁の内壁面には、複数の金型溝が形成される。各金型溝は、収納孔に向かって開放する開放口２８０と、開放口の両側に形成される一対の端部２８１と、を有する。各導電端子は、隣接する二つの金型溝の間に配置され、各導電端子の一対の側辺が対応する金型溝の端部と交る。【選択図】図６
0003185448.tif 000002
【実用新案登録請求の範囲】
【請求項１】
内壁面と外壁面とを含む一対の側壁と、一対の端壁と、前記側壁と端壁とによって形成される収納孔と、を有する絶縁性本体と、
前記絶縁性本体に固着され、部分的に前記絶縁性本体の側壁の内壁面に嵌合される主体部と、前記絶縁性本体から延出する半田接続部と、を有する複数の導電端子と、
を備え、
各導電端子の前記主体部が、前記収納孔に向かって配置される接触面と、一対の側辺と、を有し、前記側壁の内壁面には、複数の金型溝が形成され、各金型溝が前記収納孔に向かって開放する開放口と、前記開放口の両側に形成される一対の端部と、を有し、各導電端子が、隣接する二つの金型溝の間に配置され、前記各導電端子の一対の側辺が前記対応する金型溝の端部と交ることを特徴とする電気コネクタ。
【請求項２】
前記金型溝の幅は、前記開放口の位置から外側に向かって離れる方向に沿って、次第に減少されることを特徴とする請求項１に記載の電気コネクタ。
【請求項３】
前記金型溝は、一対の傾斜面を有するＶ字状に形成され、各金型溝の一対の端部の間の距離が、前記隣接する二つの導電端子の間の距離と同じであることを特徴とする請求項２に記載の電気コネクタ。
【請求項４】
前記導電端子は、インサートモールドによって前記絶縁性本体と一体に成型され、前記導電端子の側辺が、前記金型溝の端部より、前記収納孔に向かって突出することを特徴とする請求項３に記載の電気コネクタ。
【請求項５】
前記金型溝は、相手コネクタと接続する上下方向に沿って延在し、前記側壁の上表面に貫通し、前記収納孔の底面より高い位置において終端となっていることを特徴とする請求項３に記載のコネクタ。
【請求項６】
前記絶縁性本体の各側壁の外壁面には、前記導電端子の主体部に対応する複数の凹孔が一列に配置されることを特徴とする請求項１に記載の電気コネクタ。
【請求項７】
前記絶縁性本体の各側壁には、前記導電端子を収納する複数の端子溝が形成され、隣接する二つの端子溝の間には、凹溝が形成され、各凹溝が底面を有し、前記凹溝の底面の幅が、前記隣接する二つの導電端子の間の距離より、小さいことを特徴とする請求項１に記載の電気コネクタ。
【考案の詳細な説明】
【技術分野】
【０００１】
本考案は、電気コネクタに関し、特に、導電端子がインサートモールドによって絶縁性本体と一体に製造される電気コネクタに関するものである。
【背景技術】
【０００２】
従来技術の電気コネクタは、絶縁性本体と、前記絶縁性本体に固着される複数の導電端子と、を備える。前記絶縁性本体は、一対の側壁と、一対の端壁と、前記側壁と端壁とによって形成される収納孔と、を有する。各導電端子は、部分的に前記絶縁性本体の側壁の内壁面に嵌合される主体部と、前記絶縁性本体から延出する半田接続部と、を有する。
【先行技術文献】
【特許文献】
【０００３】
【特許文献１】中国特許第１０７５２６２Ｃ号明細書
【考案の概要】
【考案が解決しようとする課題】
【０００４】
前記導電端子は、絶縁性本体の長手方向及び横方向に沿って位置決めすることが困難である。
【０００５】
そこで本考案は、上述される従来技術の問題に鑑み、導電端子が絶縁性本体の長手方向及び横方向に沿って位置決めすることを容易に実現可能な電気コネクタを提供することを目的とする。
【課題を解決するための手段】
【０００６】
前記目的を達成するために、本考案のコネクタは、絶縁性本体と、前記絶縁性本体に固着される複数の導電端子と、を備える。前記絶縁性本体は、内壁面と外壁面とを含む一対の側壁と、一対の端壁と、前記側壁と端壁によって形成される収納孔と、を有する。各導電端子は、部分に前記絶縁性本体の側壁の内壁面に嵌合される主体部と、前記絶縁性本体から延出する半田接続部と、を有する。各導電端子の前記主体部は、前記収納孔に向かって配置される接触面と、一対の側辺と、を有する。前記側壁の内壁面には、複数の金型溝が形成される。各金型溝は、前記収納孔に向かって開放する開放口と、前記開放口の両側に形成される一対の端部と、を有する。各導電端子は、隣接する二つの金型溝の間に配置され、前記各導電端子の一対の側辺が前記対応する金型溝の端部と交る。前記金型溝は、第１金型を収納する。
【考案の効果】
【０００７】
従来技術と比べると、本考案は以下の長所を有する。本考案の各導電端子は、長手方向に沿って二つの金型溝に収納される二つの第１金型の間に配置されることによって、縦長方向に位置決めされる。導電端子は、第１金型と外部金型（図示略）とによって、前記長手方向と直交する横方向に位置決めされる。
【図面の簡単な説明】
【０００８】
【図１】本考案の電気コネクタの組立斜視図である。
【図２】図１に示す電気コネクタの一対の導電端子が絶縁性本体から外れる斜視図である。
【図３】図１に示す電気コネクタのＡ−Ａ線に沿って切った断面図である。
【図４】図１に示す電気コネクタのＢ−Ｂ線に沿って切った断面図である。
【図５】図１に示す電気コネクタのＣ−Ｃ線に沿って切った断面図である。
【図６】図５の俯瞰図である。
【図７】図２の標号される部分の局部広大図である。
【考案を実施するための形態】
【０００９】
図１〜図７を参照すると、本考案の電気コネクタ１００は、絶縁性本体２と、インサートモールドによって前記絶縁性本体２に固着される複数の導電端子３と、を備える。
【００１０】
前記絶縁性本体２は、内壁面（標号省略）と外壁面２１０とを含む一対の側壁２１と、一対の端壁２２と、前記側壁２１と端壁２２によって形成される収納孔２０と、を有する。前記側壁２１の内壁面には、第１金型（図示略）に対応する複数の金型溝２８が形成される。図２及び図５に示すように、前記金型溝２８は、相手コネクタと接続する上下方向に沿って延在し、前記側壁２１の上表面２４に貫通し、前記収納孔２０の底面より高い位置において終端となっている。図６に示すように、各金型溝２８は、前記収納孔２０に向かって開放する開放口２８０と、前記開放口２８０の両側に形成される一対の端部２８１と、を有する。前記金型溝２８の幅は、前記開放口２８０の位置から外側に向かって離れる方向に沿って、次第に減少される。この実施形態において、前記金型溝２８は、一対の傾斜面２８２を有するＶ字状に形成される。別の実施形態において、前記金型溝２８は、一対の傾斜面を有する台形、或いはアーチ形に形成される。
【００１１】
図７に示すように、前記絶縁性本体２の各側壁２１には、前記導電端子３の首部３３を収納する複数の端子溝２５が形成される。隣接する二つの端子溝２５の間には、外部金型（図示略）に対応する台形の凹溝２７が形成される。各凹溝２７が底面２７１を有する。前記凹溝２７の底面２７１の幅が、前記隣接する二つの導電端子３の間の距離より、小さい。前記側壁２１の底部には、内壁面と外壁面２１０とを貫通する貫通溝２６が形成される。図４に示すように、前記絶縁性本体２の各側壁２１の外壁面２１０には、第２金型（図示略）を収納するための複数の凹孔２３が一列に配置される。
【００１２】
前記導電端子３は、前記端子溝２５に固着される首部３３と、部分的に前記絶縁性本体２の側壁２１の内壁面に嵌合される主体部３１と、前記貫通溝２６によって前記絶縁性本体２から延出する半田接続部３２と、を有する。各導電端子３の主体部３１は、前記収納孔２０に向かって配置される接触面３１１と、一対の側辺３１２と、を有する。
【００１３】
図１〜図７に示すように、各導電端子３はインサートモールドによって前記絶縁性本体２と一体に成型される。各導電端子３が、隣接する二つの金型溝２８の間に配置される。前記各導電端子３の一対の側辺３１２が前記対応する金型溝２８の端部２８１と交る。各金型溝２８の一対の端部２８１の間の距離が、前記隣接する二つの導電端子３の間の距離と同じである。前記導電端子３の側辺３１２が、前記金型溝２８の端部２８１より、前記収納孔２０に向かって突出する。導電端子３の主体部３１は、前記凹孔２３に対応する。凹溝２７の底面２７１と、導電端子３の首部３３の自由端とは、一直線に位置する。
【００１４】
各導電端子３は、長手方向に沿って二つの第１金型の間に配置されることによって、長手方向に位置決めされる。導電端子３は、第１金型と外部金型（図示略）とによって、前記長手方向と直交する横方向に位置決めされる。前記導電端子３は、主体部３１が第２金型に当接することによって、前記横方向に沿って位置決めされる。
【００１５】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００１６】
１００  電気コネクタ
２  絶縁性本体
２０  収納孔
２１  側壁
２１０  外壁面
２２  端壁
２３  凹孔
２４  上表面
２５  端子溝
２６  貫通孔
２７  凹溝
２７１  底面
２８  金型溝
２８０  開放口
２８１  端部
２８２  傾斜面
３  導電端子
３１  主体部
３１１  接触面
３１２  側辺
３２  半田接続部
３３  首部
【図１】
0003185448.tif 000003
【図２】
0003185448.tif 000004
【図３】
0003185448.tif 000005
【図４】
0003185448.tif 000006
【図５】
0003185448.tif 000007
【図６】
0003185448.tif 000008
【図７】
0003185448.tif 000009